(57)【要約】【課題】  レンズを光軸方向に適切に案内をする機能を備えつつ、省スペース化および組立作業が容易な構成を備えたレンズ駆動装置を提供すること。【解決手段】  レンズ駆動装置１は、移動レンズ１２、１３、および１４を保持するレンズ移動体２と、レンズ移動体２を光軸Ｌ方向に移動させる駆動手段４と、レンズ移動体２を光軸Ｌ方向に移動可能に支持する固定体３とを備え、駆動手段４が、レンズ移動体２に配設された駆動コイル５と、固定体３に配設された駆動マグネット６と板状のヨーク８とから構成されている。駆動コイルの５の内壁には、駆動マグネット６の外周側の表面が摺動して、レンズ移動体２を光軸方向へ案内するための光軸方向に延在するガイド部としての凹部７ｄを備えている。【選択図】      図１
2006091207.tif 000002
【特許請求の範囲】
【請求項１】
レンズを保持するレンズ移動体と、該レンズ移動体を前記レンズの光軸方向に移動させる駆動手段と、前記レンズ移動体を光軸方向に移動可能に支持する固定体とを備えたレンズ駆動装置において、
前記駆動手段は、前記固定体に配設された駆動コイルと、前記レンズ移動体に配設された駆動マグネットとを備え、
前記駆動コイルが巻回されたコイルボビンは、円周方向に連結されるとともに前記レンズ移動体が摺動して、該レンズ移動体を光軸方向へ案内するための光軸方向に延在するガイド部を備えることを特徴とするレンズ駆動装置。
【請求項２】
請求項１において、前記ガイド部は、前記レンズの光軸を中心にして周方向へ離間した複数箇所に設けられていることを特徴とするレンズ駆動装置。
【請求項３】
請求項１または２において、前記レンズ移動体は、円筒状に形成した前記コイルボビンと径方向に重合するようにコイルボビン内に配設され、該コイルボビンの内壁を前記ガイド部にしたことを特徴とするレンズ駆動装置。
【請求項４】
請求項３において、前記駆動マグネットを前記ガイド部に摺動させたことを特徴とするレンズ駆動装置。
【請求項５】
請求項３において、前記レンズ移動体は前記駆動マグネットを保持する保持部を有し、該保持部を前記ガイド部に摺動させたことを特徴とするレンズ駆動装置。
【請求項６】
請求項１ないし５のいずれかにおいて、前記ガイド部および該ガイド部と摺動する前記レンズ移動体の摺動部の少なくともいずれか一方の表面には、潤滑性被膜が形成されていることを特徴とするレンズ駆動装置。
【請求項７】
前記固定体は、磁性片を備え、該磁性片と前記駆動マグネットとの磁気的吸引力によって、前記レンズ移動体の可動範囲端位置で該レンズ移動体を保持することを特徴とする請求項１または２記載のレンズ駆動装置。
【発明の詳細な説明】
【技術分野】
【０００１】
本発明は、カメラ付き携帯電話機のカメラなどの比較的小型のカメラ等に用いられるレンズ駆動装置に関する。
【背景技術】
【０００２】
カメラの撮影用レンズ等のレンズを光軸方向に駆動するレンズ駆動装置として、レンズを保持するレンズ移動体と、このレンズ移動体をレンズの光軸方向に移動させる駆動手段と、レンズ移動体を光軸方向に移動可能に支持する固定体とを備え、レンズを直接、磁気駆動するレンズ駆動装置が用いられている。
【０００３】
この種のレンズ駆動装置として、レンズ移動体に配設された駆動コイルと、固定体に配設された駆動マグネットおよびヨークとからなるいわゆるボイスコイルモータを、レンズ移動体の駆動手段として用いたレンズ駆動装置が知られている（例えば、特許文献１、２参照）。
【０００４】
特許文献１および２に記載されたレンズ駆動装置では、角筒状に形成されたレンズ移動体の内周側にレンズが保持され、その外周側には、駆動コイルが巻回されている。また、固定体には、内ヨークおよび外ヨークからなるヨークが固定され、外ヨークの内側には駆動マグネットが固定されている。そして、レンズ移動体に巻回された駆動コイルが内ヨークと駆動マグネットとの間に配設されるように、レンズ移動体が固定体によって光軸方向に移動可能に支持されており、レンズ移動体の駆動手段としてボイスコイルモータが構成されている。
【０００５】
また、特許文献１および２に記載されたレンズ駆動装置では、レンズが保持されたレンズ移動体を光軸方向へ案内するため、固定体には、光軸方向へ延在する２本のガイドシャフトが立設され、レンズ移動体には、ガイドシャフトが挿通されてこのガイドシャフトと摺接する摺動孔が形成されている。
【特許文献１】特開平８−９４９０４号公報
【特許文献２】特開平５−２６４８７８号公報
【発明の開示】
【発明が解決しようとする課題】
【０００６】
しかしながら、上記特許文献に開示されたレンズ駆動装置では、２本のガイドシャフトを固定体に立設する構成を採用しているので、レンズ移動体を光軸方向に案内するためのガイドとして専用の部材を必要とし部品点数の増加を招くという問題がある。また、２本のガイドシャフトを配設するための専用スペースが必要となり装置が大型化するという問題がある。さらに、レンズ移動体を光軸方向に適切に案内するためには、ガイドシャフトを固定体に対して精度良く立設する必要があり、組立作業が困難となるという問題がある。特に、２本のガイドシャフトを用いているため、ガイドシャフト同士の平行度も確保しなければ、レンズ移動体を光軸方向に適切に案内することができず、組立作業は一層困難となるという問題がある。
【０００７】
そこで、本発明の課題は、レンズを光軸方向に適切に案内をする機能を備えつつ、省スペース化および組立作業が容易な構成を備えたレンズ駆動装置を提供することにある。
【課題を解決するための手段】
【０００８】
上記の課題を解決するために、本発明では、レンズを保持するレンズ移動体と、該レンズ移動体を前記レンズの光軸方向に移動させる駆動手段と、前記レンズ移動体を光軸方向に移動可能に支持する固定体とを備えたレンズ駆動装置において、前記駆動手段は、前記固定体に配設された駆動コイルと、前記レンズ移動体に配設された駆動マグネットとを備え、前記駆動コイルが巻回されたコイルボビンは、円周方向に連結されるとともに前記レンズ移動体が摺動して、該レンズ移動体を光軸方向へ案内するための光軸方向に延在するガイド部を備えることを特徴とする。
【０００９】
また、本発明において、前記ガイド部は、前記レンズの光軸を中心にして周方向に離間した複数箇所に設けられていることが好ましい。このように構成すると、ガイド部を全周に設ける場合に比較して、ガイド部の寸法精度の確保が容易にできる。
【００１０】
さらに、本発明において、前記レンズ移動体は、円筒状に形成した前記コイルボビンと径方向に重合するようにコイルボビン内に配設され、該コイルボビンの内壁を前記ガイド部にすることが好ましい。このように構成すると、ガイド部をコイルボビンの内壁と兼用させることができるので、ガイド部を構成するための特別な部材が一切不要になる。故に、省スペース化により装置の小型化が図れる。また、コイルボビンを樹脂により一体成形させた場合であれば、その成形精度によりコイルボビンの内壁の寸法精度を確保することが可能となり、レンズ移動体を光軸方向へ適切に案内することができる。
【００１１】
さらにまた、前記駆動マグネットを前記ガイド部に摺動させることが好ましい。このように構成すると、マグネット表面は一般的に樹脂に比べ高硬度なので、耐磨耗性が大きい。従って、駆動マグネットを摺動させることにより、少なくともこの駆動マグネットからの磨耗紛の発生が抑制されるので、レンズ表面を長期に亘ってクリーンに維持できる。
【００１２】
また、前記レンズ移動体は前記駆動マグネットを保持する保持部を有し、該保持部を前記ガイド部に摺動させることが好ましい。このように構成すると、例えば保持部を樹脂により成形させた場合であれば、その成形精度により保持部の寸法精度を確保することができる。
【００１３】
本発明において、前記ガイド部および該ガイド部と摺動する前記レンズ移動体の摺動部の少なくともいずれか一方の表面には、潤滑性被膜が形成されていることが好ましい。この場合には、摺動部およびこの摺動部と摺動するコイルボビンとの間の摺動抵抗が軽減され、レンズ移動体の移動時における消費電力を低減することができる。また、レンズ移動体の光軸方向の移動が円滑に行われる。
【００１４】
本発明において、前記駆動コイルが配設された前記レンズ移動体または前記固定体は磁性片を備え、該磁性片と前記駆動マグネットとの磁気的吸引力によって、前記レンズ移動体の可動範囲端位置で該レンズ移動体を保持することが好ましい。この場合には、レンズ移動体の可動範囲端位置を撮影が行われる位置、すなわちレンズの保持位置とすることで、保持位置においては、駆動コイルを通電状態にしておく必要がなく、レンズの保持状態での消費電力を低減させることができる。
【発明の効果】
【００１５】
以上のように本発明のコイルボビンは、レンズ移動体が摺動して、レンズ移動体を光軸方向へ案内するための光軸方向に延在するガイド部を備えている。そのため、ガイド部をコイルボビンと兼用させることができるので、ガイド部を構成するための特別な部材が不要になる。故に、省スペース化が図れるので装置を小型化することができる。しかも、コイルボビンは、円周方向に連結されているため、一部材として扱うことができるので組み立て作業を容易に行うことができる。
【発明を実施するための最良の形態】
【００１６】
以下、本発明を実施するための最良の形態を図面に基づいて説明する。
【００１７】
（レンズ駆動装置の構成）
図１は、本発明の実施の形態にかかるレンズ駆動装置を示す側面断面図である。図２は、図１に示すレンズ駆動装置からカバーを外した様子を示す示し、（Ａ）はその上面図、（Ｂ）は（Ａ）のＡ−Ａ断面における断面図である。図３は、図１に示すレンズ駆動装置のカバーを除く固定側部材を示し、（Ａ）はその上面図、（Ｂ）は（Ａ）のＢ−Ｂ断面における断面図である。図４は、図１に示すレンズ駆動装置の固定体を示し、（Ａ）はその上面図、（Ｂ）は（Ａ）のＣ−Ｃ断面における断面図である。図５は、図１に示すレンズ駆動装置のヨークを示し、（Ａ）はキャップヨークを除く上面図、（Ｂ）は（Ａ）のＤ−Ｄ断面における断面図、（Ｃ）は、キャップヨークである。図６は、図１に示すレンズ駆動装置の駆動コイルが巻回されたコイルボビンを示し、（Ａ）はその上面図、（Ｂ）は（Ａ）のＥ−Ｅ断面における断面図である。図７は、図１に示すレンズ駆動装置のレンズ移動体を示し、（Ａ）はその上面図、（Ｂ）は（Ａ）のＦ−Ｆ断面における断面図である。
【００１８】
本形態にかかるレンズ駆動装置１は、携帯電話等の携帯機器に搭載される薄型のカメラに適用されるものであり、移動レンズ１２、１３、１４を保持するレンズ移動体２と、このレンズ移動体２を移動レンズ１２、１３、１４の光軸Ｌ方向に移動させる駆動手段４と、レンズ移動体２を光軸Ｌ方向に移動可能に支持する固定体３とを備えている。本形態では、駆動手段４は、駆動コイル５と、駆動マグネット６と、これらの駆動コイル５および駆動マグネット６とともに磁気回路を形成するヨーク８とから構成されている。また、レンズ駆動装置１の図示上端側には、カバー１０が固定されている。
【００１９】
図１乃至図３に示すように、固定体３には、その表面側に駆動コイル５が巻回されたコイルボビン７とヨーク８とが配設されている。
【００２０】
本形態における固定体３は、図４に示すように、リング状に形成された樹脂部材であり、中央には、被撮影体の像を取り込む開口部３ａが形成されている。その表面は、光軸Ｌ方向におけるレンズ移動体２の図示下方の可動範囲を規制する規制部３ｃおよびヨーク８を固定するヨーク固定部としての凹部３ｄが規制部３ｃより窪んだ状態で形成されている。なお、凹部３ｄは、光軸Ｌを中心に１２０°ピッチで３箇所に形成されている。
【００２１】
さらに、凹部３ｄには、ヨーク８を固定した状態で、ヨーク８と凹部３ｄとの隙間に接着剤を供給するための供給部３ｅが円周方向の２箇所に形成されている。この供給部３ｅも凹部３ｄと同様に規制部３ｃより窪んだ状態で形成されている。なお、凹部３ｄは、ヨーク８を精度良く固定するため、底面の平面度が精度良く確保された状態になっている。
【００２２】
また、規制部３ｃには、３箇所に形成された凹部３ｄのうち、隣接する凹部３ｄの間に、駆動コイル５が巻回されたコイルボビン７に形成され、このコイルボビン７を位置決め固定させる後述の突起７ｃが係合される係合孔３ｂ、および駆動コイルの端末を固定体３の外部に引き出す引出孔３ｆが形成されている。この引出孔３ｆは規制部３ｃより窪んだ状態で、固定体３の外部へ開口するように形成されている。
【００２３】
ヨーク８は、図５に示すように、板状の磁性部材から形成されており、円周方向に円筒状に形成された外ヨーク８ｂと、径方向で外ヨーク８ｂの内側に形成され内ヨーク８ａと、外ヨーク８ｂおよび内ヨーク８ａを連結する連結部８ｃとから構成された下ヨークと、内ヨーク８ａおよび外ヨーク８ｂの図示上端に跨って配設されるキャップヨーク８ｄとの２部材により構成されている。具体的には、下ヨークは、連結部８ｃが内ヨーク８ａと外ヨーク８ｂとを図示下端にて連結し、この連結部８ｃから、内ヨーク８ａと外ヨーク８ｂとが垂直に起立した溝形状に形成されている。また、連結部８ｃの図示下面がヨーク８を固定体３に固定するための固定基準面８ｅとなっている。本形態では、下ヨークは、薄板状の磁性部材をプレスによって曲げ加工することで形成されており、固定基準面８ｅに対する内ヨーク８ａおよび外ヨーク８ｂの垂直度が精度良く確保されている。なお、キャップヨーク８ｄは、対向した２箇所に形成された切り欠き部８ｆが、内ヨーク８ａおよび外ヨーク８ｂの図示上端に形成された突起部８ｇに係合して位置決めされた状態で接着等によって固定されている。このキャップヨーク８ｄによって、有効な磁路が形成され、駆動手段４の駆動効率を上げることができる。なお、内ヨーク８ａは、図５（Ａ）に示すように、光軸Ｌを中心とした略円弧状に形成されている。また、外ヨーク８ｂも同様に、光軸Ｌを中心とした略円筒状に形成されている。
【００２４】
コイルボビン７は、樹脂部材であり、図６に示すように、鍔部７ａ、７ｂを図示上下端側に備える円筒状に形成されるとともに、内壁は、円周方向に３つの係合凹部７ｄおよび３つの凸部７ｅからなる凹凸状に形成されている。この係合凹部７ｄは、光軸Ｌを中心に略１２０°ピッチで、３箇所に形成されており、本形態では、係合凹部７ｄの底面が、後述する駆動マグネット６がガイドされてレンズ移動体２を光軸Ｌ方向に案内するためのガイド部になっている。すなわち、駆動マグネット６の外周側の表面が摺動部として係合凹部７ｄの底面と摺動するように構成されている。なお、係合凹部７ｄには、駆動マグネット６との摺動抵抗の軽減を図るため、表面に潤滑性被膜を形成しても良い。具体的には、ポリテトラフルオロエチレン（ＰＴＦＥ）を分散させた無電解ニッケルメッキ膜を、凹部７ｄの表面に形成しても良い。この場合には、液晶樹脂やポリフェニレンサルファイド樹脂（ＰＰＳ）などの耐熱性樹脂でコイルボビン７を形成する必要がある。勿論、潤滑性被膜を駆動マグネット６の外周側の表面に形成してもよい。
【００２５】
また、このコイルボビン７には、チップ状の磁性片９を保持するための磁性片保持部７ｆが、係合凹部７ｄの図示下端側において、円周方向の略中心位置に形成されている。
【００２６】
本形態の場合、ヨーク８が、固定体３に形成された凹部３ｄに固定されている。より具体的には、固定基準面８ｅを凹部３ｄの底部に当接させた状態で、かつ、連結部８ｃの円周方向の両端および内ヨーク８ａが折曲された角部を凹部３ｄの壁部に嵌め合わせた状態で、ヨーク８が凹部３ｄに固定されている。このように、ヨーク８が固定体３に固定された状態では、内ヨーク８ａおよび外ヨーク８ｂは光軸Ｌ方向に延在されている。そして、内ヨーク８ａは、光軸Ｌを中心とする略１２０°ピッチの等間隔で固定体３に立設されている。
【００２７】
レンズ移動体２は、図７に示すように、樹脂により円筒状に形成された保持部２１と、その内周側に保持された移動レンズ１２、１３および１４と（図示省略）、その外周側において保持された３つの駆動マグネット６とにより構成されている。また、保持部２１と駆動マグネット６とは、インサート成形により一体成形されるとともに、駆動マグネット６が保持部２１から径方向の外方へ突出成形されている。そのため、レンズ移動体２の外周は凹凸状に形成されている。なお、本形態では、レンズ移動体２は、その内周側で移動レンズ１２、１３および１４を直接保持しているが、レンズ鏡筒を介して、移動レンズ１３および１４を保持するようにしても良い。
【００２８】
レンズ移動体２には、内ヨーク８ａが挿通される貫通孔２ｂが、内ヨーク８ａに対応して、光軸Ｌを中心に略１２０°ピッチで、３箇所に形成されている。貫通孔２ｂは、図７（Ａ）に示すように、略円弧状に形成され、レンズ移動体２を光軸Ｌ方向に貫通するように形成されている。また、貫通孔２ｂの半径方向の幅は、内ヨーク８ａの半径方向の厚みよりも大きく形成され、貫通孔２ｂに内ヨーク８ａが挿通された状態における貫通孔２ｂと内ヨーク８ａとの半径方向の間隙は、レンズ移動体２が、光軸Ｌ方向へ移動する際に接触しない大きさに形成されている。すなわち、駆動マグネット６と係合凹部７ｄとの摺動を妨げない大きさに形成されている。
【００２９】
駆動マグネット６は、図７（Ａ）に示すように、光軸Ｌ方向の断面が略円弧状に形成され、光軸Ｌ方向に延在する薄板状の永久磁石であり、内周側および外周側がそれぞれ単極に着磁されている。例えば、駆動マグネット６の内周側がＮ極に着磁され、外周側がＳ極に着磁されている。本形態では、３つの駆動マグネット６がレンズ移動体２の外周面に接着等の固定手段によって固定されている。
【００３０】
この駆動マグネット６が外周側に固定されたレンズ移動体２は、コイルボビン２の筒部の内側に、内ヨーク８ａが貫通孔２ｂに挿通された状態で配設されている。このとき、駆動マグネット６が係合凹部７ｄに係合することにより円周方向に位置決めされている。そのため、内ヨーク８ａおよび貫通孔２ｂは、円周方向にこの位置決めを妨げないクリアランスを有している。なお、円周方向への位置決めは、駆動マグネット６および係合凹部７ｄにより行う代わりに、内ヨーク８ａおよび貫通孔２ｂにより行うようにしてもよい。このときには、駆動マグネットおよび係合凹部７ｄは、円周方向にその位置決めを妨げないクリアランスに形成されることになる。また、駆動マグネット６は、駆動コイル５および内ヨーク８ａによって半径方向に挟まれるように配設されることになり、駆動コイル５と駆動マグネット６とヨーク８とから、駆動手段４としてのボイスコイルモータが構成されている。
【００３１】
また、レンズ移動体２が、コイルボビン２の筒部の内側に配設された状態では、それぞれの磁性片９が駆動マグネット６外壁の光軸Ｌ方向の下端側と対向するようになっている。さらに、レンズ駆動装置１を上面から見た状態では、それぞれの磁性片９は、駆動マグネット６の円周方向の中心位置に配置されるようになっている。
【００３２】
カバー１０は、中央に開口部が形成されたリング状に形成された樹脂部材であり、外径が固定体３とほぼ一致するように形成されている。また、カバー１０の図示下側には、光軸Ｌ方向におけるレンズ移動体２の図示上方向の可動範囲を規制する規制部（図示省略）が形成されている。
【００３３】
（レンズ駆動装置の動作）
以上のように構成されたレンズ駆動装置１の動作を以下に説明する。
【００３４】
本形態においては、図１に示すように、レンズ移動体２の底面が固定体３の規制部３ｃに当接した状態が通常の移動レンズ保持位置になっている。この状態では、磁性片９と駆動マグネット６との磁気的吸引力によって、レンズ移動体２は光軸Ｌ方向で安定的に保持されている。そのため、通常の移動レンズ保持位置では、駆動コイル５は非通電状態になっている。また、それぞれの磁性片９が、駆動マグネット６の円周方向の中心位置に配置されるようになっているため、円周方向においてもレンズ移動体２は安定的に保持されている。
【００３５】
通常の移動レンズ保持位置にレンズ移動体２が保持された状態で、図示上方向にレンズ移動体２が移動するように駆動コイル５に電流が供給されると、レンズ移動体２は、駆動マグネット６が係合凹部７ｄによって光軸Ｌ方向に案内されて、最大で、レンズ移動体２の上端がカバー１０に形成された規制部に当接するまで移動するフォーカシング動作を行う。このフォーカシング動作によって通常の移動レンズ保持位置から、光軸Ｌ方向の所定位置まで移動したレンズ移動体２は、磁性片９と駆動マグネット６との磁気的吸引力とバランスするように、駆動コイル５を通電状態とすることで、所定の位置において安定的に保持されている。なお、それぞれの磁性片９が、駆動マグネット６の円周方向の中心位置に配置されるようになっているため、レンズ移動体２は、円周方向においては、磁性片９と駆動マグネット６とによって安定的に保持されている。
【００３６】
上記の所定位置で、図示下方向にレンズ移動体２が移動するように駆動コイル５に電流が供給されると、レンズ移動体２は、駆動マグネット６が係合凹部７ｄによって光軸Ｌ方向に案内されて移動する。例えば、レンズ移動体２の底面が固定体３の規制部３ｃに当接するまで移動して、通常の移動レンズ保持位置で保持される。なお、磁性片９と駆動マグネット６との間に生じる磁気的吸引力の大きさによっては、上記の所定位置において、駆動コイル５を非通電状態とすることで、レンズ移動体２を、通常の移動レンズ保持位置まで移動させることも可能である。
【００３７】
（本形態の主な効果）
以上説明したように、本形態のレンズ駆動装置１では、コイルビン７が、レンズ移動体２と摺動して、レンズ移動体２を光軸方向へ案内するための光軸方向に延在するガイド部としての凹部７ｄを備えている。そのため、凹部部７ｄをコイルボビン７と兼用させることができるので、凹部７ｄを構成するための特別な部材が不要になる。すなわち、レンズ移動体２を光軸Ｌ方向に案内するためのガイドシャフトを別途設ける必要がない。そのため、レンズ駆動装置１の構成が簡素化され、装置の小型化が可能になり、携帯電話等の携帯機器に搭載される薄型のカメラへの適用の可能になる。特に、本形態のレンズ移動体２は、円筒状に形成したコイルボビン７と径方向に重合するようにコイルボビン７内に配設され、樹脂により一体成形させたコイルボビン７の内壁に凹部７ｄが形成されている。従って、コイルボビン７を樹脂により成形する際の成形精度によりコイルボビンの内壁の寸法精度を確保することが可能となり、レンズ移動体７を光軸方向に適切に案内することができる。
【００３８】
また、本形態において、ガイド部としての凹部７ｄは、レンズ１２、１３、１４の光軸を中心にして周方向に離間した３箇所に設けられている。従って、ガイド部の寸法精度は、３箇所の凹部７ｄのみでよいので、ガイド部を全周に設ける場合に比較して、寸法精度の確保が容易にできる。特に、本形態では、３箇所の凹部７ｄが、光軸Ｌを中心に等角度間隔に設けられていることから、レンズ移動体２を光軸Ｌ方向に案内する際に、レンズ移動体２に傾きが生じにくくなり、レンズ移動体２を確実に案内することができる。さらにレンズ移動体２に傾きを抑えることができ、レンズ移動体２を光軸Ｌ方向へ適切に案内することができる
【００３９】
さらに、本形態では、係合凹部７ｄの底面が、駆動マグネット６の外周側の表面がガイドされてレンズ移動体２を光軸Ｌ方向に案内するためのガイド部７ｄになっている。従って、マグネット表面は一般的に樹脂に比べ高硬度なので、耐磨耗性が大きので、駆動マグネット６を摺動させることにより、少なくともこの駆動マグネット６からの磨耗紛の発生が抑制され、レンズ表面を長期に亘ってクリーンに維持できる。
【００４０】
本形態では、ガイド部としての凹部７ｄの底面および駆動マグネット６の外周側の表面の少なくともいずれか一方には、潤滑性被膜を形成することが可能で、潤滑性被膜を形成した場合、摺動抵抗を軽減することができる。その結果、レンズ移動体２の移動時における消費電力を低減することができ、レンズ移動体２の光軸Ｌ方向の移動が円滑に行われる。
【００４１】
本形態では、レンズ移動体２が磁性片９を備え、磁性片９と駆動マグネット６との磁気的吸引力によって、レンズ移動体２の図示下方向の可動範囲端位置である通常の移動レンズ保持位置において、レンズ移動体２が光軸Ｌ方向で安定的に保持されている。そのため、通常の移動レンズ保持位置においては、駆動コイル５を通電状態にしておく必要がなく、フォーカシング動作時にのみ駆動コイル５を通電状態にしてやれば良い。従って、移動レンズ１２、１３、１４の保持状態での消費電力を低減させることができる。
【００４２】
本形態では、レンズ移動体２が、固定体３の筒部の内側に配設された状態で、それぞれの磁性片９は、駆動マグネット６の円周方向の中心位置に配置されるようになっている。そのため、磁性片９が、磁束密度の高い駆動マグネット６の円周方向の中心位置に吸引され、レンズ移動体２を円周方向に安定的に保持することができる。
【００４３】
また、レンズ移動体２の移動時に、レンズ移動体２が円周方向に振れても、それぞれの磁性片９が、駆動マグネット６の円周方向の中心位置に配置されるように復元力が働く。そのため、移動レンズ１２、１３、１４とから構成されるレンズ群の光学特性に変動が生じない。その結果、光学特性の安定したレンズ駆動装置１を提供することができる。
（他の実施の形態）
【００４４】
上述した形態は、本発明の好適な形態の一例ではあるが、これに限定されるものではなく本発明の要旨を変更しない範囲において種々変形可能である。例えば、上述した形態では、駆動マグネット６の外周側の表面を摺動部として、ガイド部としての係合凹部７ｄの底面に摺動させているが、レンズ移動体２の保持部２１の外周側表面を摺動部として凸部７ｅの頂部に摺動させるように構成してもよい。このように構成すると、例えば保持部２１を樹脂により一体成形させた場合であれば、その成形精度により保持部の寸法精度を確保することができる。この場合、凸部７ｅの頂部がガイド部になる。なお、凸部７ｅの頂部または保持部２１の外周側表面の少なくとも一方に上述のような潤滑性皮膜を形成してもよい。
【００４５】
また、上述した形態では、駆動マグネット６が保持部２１から径方向外方へ突出しているが、マグネット保持部２１を突出させるようにしてもよいし、駆動マグネットの外周と保持部２１の外周とを同一同心円になるように構成して外周を一致させてもよい。
【００４６】
また、駆動マグネットはリング状に一体で形成された永久磁石でも良い。
【００４７】
さらに、上述した形態では、凹部７ｄが円周方向で３箇所に形成されていたが、ガイド部は３箇所に限定されず、２箇所に形成したり、４箇所以上に形成しても良い。
【００４８】
さらにまた、上述した形態では、このコイルボビン７には、チップ状の磁性片９が、係合凹部７ｄの図示下端側において、円周方向の略中心位置に配設されているが、磁性片９の位置は、移動レンズ保持位置において、レンズ移動体２が光軸Ｌ方向で安定的に保持可能な位置であれば如何なる位置でもよい。
【図面の簡単な説明】
【００４９】
【図１】本発明の実施の形態にかかるレンズ駆動装置を示す側面断面図である。
【図２】図１に示すレンズ駆動装置からカバーを外した様子を示す示し、（Ａ）はその上面図、（Ｂ）は（Ａ）のＡ−Ａ断面における断面図である。
【図３】図１に示すレンズ駆動装置のカバーを除く固定側部材を示し、（Ａ）はその上面図、（Ｂ）は（Ａ）のＢ−Ｂ断面における断面図である。
【図４】図１に示すレンズ駆動装置の固定体を示し、（Ａ）はその上面図、（Ｂ）は（Ａ）のＣ−Ｃ断面における断面図である。
【図５】図１に示すレンズ駆動装置のヨークを示し、（Ａ）はキャップヨークを除く上面図、（Ｂ）は（Ａ）のＤ−Ｄ断面における断面図、（Ｃ）は、キャップヨークである。
【図６】図１に示すレンズ駆動装置の駆動コイルが巻回されたコイルボビンを示し、（Ａ）はその上面図、（Ｂ）は（Ａ）のＥ−Ｅ断面における断面図である。
【図７】図１に示すレンズ駆動装置のレンズ移動体を示し、（Ａ）はその上面図、（Ｂ）は（Ａ）のＦ−Ｆ断面における断面図である。
【符号の説明】
【００５０】
１  レンズ駆動装置
２  レンズ移動体
２ｂ  貫通孔
７  コイルボビン
７ｄ  係合凹部（ガイド部）
７ｆ  磁性片保持部
３  固定体
４  駆動手段
５  駆動コイル
６  駆動マグネット
８  ヨーク
８ａ  内ヨーク
８ｂ  外ヨーク
８ｃ  連結部
８ｄ  キャップヨーク
９  磁性片
１２、１３、１４  移動レンズ
２１  保持部
Ｌ  光軸
０
【図１】
2006091207.tif 000003
【図２】
2006091207.tif 000004
【図３】
2006091207.tif 000005
【図４】
2006091207.tif 000006
【図５】
2006091207.tif 000007
【図６】
2006091207.tif 000008
【図７】
2006091207.tif 000009